(57)【要約】【課題】個人情報が印刷された印刷物を廃棄した後、その印刷物から簡単に個人情報が漏洩することのない個人情報保護シートを提供する。【解決手段】住所、氏名などの個人情報を記載するための宛名タックシール１０ａの裏面側には、粘着剤層１２および剥離シート１３が積層され、宛名タックシール１０ａには個人情報の記載領域の一部の領域を残りの領域から切り離して封書Ｅから剥ぎ取ることができるように、マイクロミシン目１５が形成されている。そして、宛名タックシール１０ａのマイクロミシン目１５により囲まれた領域の粘着剤層１２には、その粘着力を消失させるための粘着性無効化処理１７が印刷により施されている。従って、封書Ｅに貼り付けられた宛名タックシール１０ａのマイクロミシン目１５に囲まれた領域を剥ぎ取ることにより、宛名タックシール１０ａに記載された個人情報を保護することができる。【選択図】　図１
2004117787.tif 000002
【特許請求の範囲】
【請求項１】
個人情報を記載するための情報表示シートを備え、その情報表示シートを粘着剤によって所要の箇所に貼り付けるようにしたものにおいて、前記情報表示シートには、前記個人情報の記載領域のうちの一部を残りの領域から切り離し可能な切断線が形成され、前記情報表示シートの個人情報の記載面とは反対側の面のうち前記切断線に囲まれた領域以外の部分に、前記粘着剤による粘着剤層が形成され、その粘着剤層に剥離シートが積層されていることを特徴とする個人情報保護シート。
【請求項２】
前記情報表示シートの個人情報の記載面とは反対側の面には、全面に前記粘着剤を付着させた粘着剤層が形成されるとともに、その粘着剤層のうち、前記切断線によって囲まれた領域には、前記粘着剤層の粘着性を消すための粘着性無効化処理が施されていることを特徴とする請求項１記載の個人情報保護シート。
【発明の詳細な説明】
【０００１】
【発明の属する技術分野】
本発明は、簡単な操作を行うだけで、印刷された情報が廃棄後に簡単に読みとられることを防止することのできる個人情報保護シートに関する。
【０００２】
【従来の技術】
従来、例えばダイレクトメール等の郵便物に、宛先としての個人の住所や名前の印刷されたタックシール（例えば、特許文献１参照。）が貼付されている場合が多いが、このようなタックシールが貼付された封書や葉書等を受取人が廃棄した場合に、廃棄されたゴミから個人情報が漏洩してしまう恐れがある。特に最近では、環境問題からゴミの分別化がどの地域でも積極的に推進されており、それに伴ってゴミ袋の中身が外側からもある程度わかるように、透明や半透明のゴミ袋が多く使用されるようになっている。このため、ゴミ袋の外側から一見するだけで、例えば郵便物の宛先からゴミの廃棄人が簡単に特定され、どうような郵便物がどこから届いているか、またどのようなゴミが捨てられているか等がわかってしまうため、ゴミを廃棄する側からしてみれば好ましくない。このような個人情報が簡単にわからないようにするためには、ゴミを廃棄する側が郵便物の住所や名前の表示された部分をわざわざ見えないようにするために折り込んだり、シュレッダー等で細かく切り刻んだりしなければならず、面倒であった。
【０００３】
【特許文献１】
特開２０００−１５８９０公報（第２頁、第１３図、第１４図）
【０００４】
【発明が解決しようとする課題】
本願発明は上記事情に鑑みてなされたものであって、個人情報が印刷された印刷物を廃棄した後、その印刷物から簡単に個人情報が漏洩することのない個人情報保護シートを提供することを目的とするものである。
【０００５】
【課題を解決するための手段】
上記の目的を達成するための手段として、請求項１の個人情報保護シートは、個人情報を記載するための情報表示シートを備え、その情報表示シートを粘着剤によって所要の箇所に貼り付けるようにしたものにおいて、前記情報表示シートには、前記個人情報の記載領域のうちの一部を残りの領域から切り離し可能な切断線が形成され、前記情報表示シートの個人情報の記載面とは反対側の面のうち前記切断線に囲まれた領域以外の部分に、前記粘着剤による粘着剤層が形成され、その粘着剤層に剥離シートが積層されている構成としたところに特徴を有する。
【０００６】
請求項２の発明は、請求項１に記載のものにおいて、前記情報表示シートの個人情報の記載面とは反対側の面には、全面に前記粘着剤を付着させた粘着剤層が形成されるとともに、その粘着剤層のうち、前記切断線によって囲まれた領域には、前記粘着剤層の粘着性を消すための粘着性無効化処理が施されているところに特徴を有する。
【０００７】
【発明の作用及び効果】
＜請求項１の発明＞
情報表示シートの個人情報の記載面とは反対側面のうち、切断線に囲まれた領域以外の部分に粘着剤層が形成されているから、所要の箇所に貼り付けが可能であるとともに、貼り付けられた情報表示シートの切断線に囲まれた領域を剥ぎ取ることができるようになっている。従って、個人情報が記載された情報表示シートを廃棄する際には、情報表示シートから切断線に囲まれた領域を剥ぎ取ればよい。すると、情報表示シートに記載されていた情報は分断され、廃棄されたシートからは記載されていた情報を簡単に読みとることができなくなる。すなわち、本発明により、切断線に沿って情報表示シートの切断線に囲まれた領域を剥ぎ取るという簡単な操作を行うだけで、個人情報を保護することができるという優れた作用効果を奏する。
【０００８】
＜請求項２の発明＞
情報表示シートの全面に粘着剤層を形成し、その粘着剤層のうち切断線に囲まれた領域に粘着性無効化処理が施されているから、情報表示シートの切断線に囲まれた領域以外の部分が粘着性を有するようになっている。これにより、切断線に囲まれた領域以外の部分に粘着剤層を形成することと同様の効果をより容易に得ることができ、個人情報保護シートの製造コストを低減できる。
【０００９】
【発明の実施の形態】
以下、本発明を具体化した一実施形態について図１ないし図４を参照して説明する。
本実施形態の個人情報保護シート１０は、表面に個人情報である住所および宛名を印刷して封書や葉書等に貼付する、従来から一般に使用されている郵便物用の宛名タックシール（図７参照）に適用させたものである。
【００１０】
その具体的構成は図１の部分拡大断面図に示すとおりである。個人情報保護シート１０は、図１（Ａ）に示すように、印刷用紙１１と、その裏面に積層され、封書、葉書等に貼付するための粘着性を有する粘着剤層１２とこれを被覆する剥離シート１３との３層構造である。
粘着剤層１２は通常使用される糊や粘着剤等からなり、例えばその厚みは約２０μｍであり、剥離シート１３の厚みは約４０μｍである。
【００１１】
上記印刷用紙１１および粘着剤層１２には、同じく図１（Ａ）に示すように、上記剥離シート１３から情報表示シートである個々の宛名タックシール１０ａを剥がし取るための切れ目１４が、印刷用紙１１及び粘着剤層１２に亘って形成されている。個々の宛名タックシール１０ａの印刷用紙１１は、その全面が個人情報記載領域とされており、印刷用紙１１には、その宛名タックシール１０ａ内の領域の一部を残りの領域から切り離すための切断線であるマイクロミシン目１５が形成されている。このマイクロミシン目１５は、図２の平面図に示すように、各宛名タックシール１０ａの領域内をその端部である切れ目１４近辺まで延びる蛇行状に形成されており、各宛名タックシール１０ａ内でそのマイクロミシン目１５が回帰されて、左下隅に形成された円弧状のタブ切れ目１５ａとともに閉じたループ状とされている。マイクロミシン目１５及びタブ切れ目１５ａ（以下、「マイクロミシン目１５など」という）により囲まれた領域は、図２中の左方及び下方で連なり、右上方向に延びる櫛状とされている。
【００１２】
そして、マイクロミシン目１５などに囲まれた領域の粘着剤層１２の裏面には、印刷により粘着性無効化処理１７が施され、粘着剤層１２の粘着性が消されている。この粘着性無効化処理１７は、非粘着性のインクを粘着剤層１２の上に重ねて印刷することにより行われる。
【００１３】
次に、上述した本実施形態の個人情報保護シート１０の使用方法について説明する。
個人情報保護シート１０を使用する場合には、従来のタックシールと同様に、まず印刷用紙１１の表面にプリンタ等により宛先の印字１８の印刷を行う（図１（Ｂ）参照）。そして、切れ目１４により、印刷用紙１１および粘着剤層１２を剥離シート１３から剥がし取って、宛名タックシール１０ａとし、例えば封書Ｅに貼付する（図１（Ｃ）参照）。
【００１４】
受取人がこのような宛名タックシール１０ａが貼付された郵便物を受け取った場合には、これを廃棄する際に、宛名タックシール１０ａに形成された剥ぎ取りタブ１６をつまみ、宛名タックシール１０ａの櫛状に延びる一部領域のみを封書Ｅから剥がし取ればよい（図３参照）。すなわち、マイクロミシン目１５などに囲まれた領域以外の部分は、粘着剤層１２によって封書Ｅに粘着して残る一方、マイクロミシン目１５などに囲まれた領域の裏面の粘着剤層１２は粘着性無効化処理１７が施されて粘着性を有しないから、マイクロミシン目１５などに囲まれた部分のみを剥がし取ることができる。これにより、宛名タックシール１０ａに印刷された宛名等の情報は、図４に示すように断片的に分断され、簡単には読みとれなくなる。また、剥がし取った印刷用紙１１側の情報も同様に簡単には読みとれないため、例えばこれらを別個に丸めて廃棄すれば、印刷されていた個人情報が簡単に漏洩することが防止される。
【００１５】
また、剥がし取った印刷用紙１１の裏面には、粘着性無効化処理１７が施され、粘着性が無いため、剥がし取った宛名タックシール１０ａがべたつき、不用意に他のものに貼り付くなどといったことがない。
【００１６】
このように、本実施形態の個人情報保護シート１０によれば、郵便物の差出人は従来通りの作業を行えばよく、また受取人は、廃棄の際にマイクロミシン目１５などに沿って宛名タックシール１０ａの一部領域を剥ぎ取るという極めて簡単な作業を行うことにより、宛名タックシール１０ａに印刷されていた個人情報を保護することができるという優れた作用効果を奏する。
【００１７】
さらに、本実施形態の個人情報保護シート１０では、粘着剤層１２を印刷用紙１１の全面にロールコーターなどにより形成し、粘着剤層１２に重ねて非粘着性のインクを印刷して粘着性無効化処理１７を施しているから、印刷用紙１１の裏面側に部分的に粘着性を与えることを低コストで行うことができる。
【００１８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、切断線としてマイクロミシン目１５を形成した例を示したが、切断線はこれに限られない。例えば、印刷用紙１１の厚み方向の途中まで到達する切れ目を連続的に形成したものとしてもよい。
（２）上記実施形態では、情報表示シートの個人情報の記載面の反対側の全面に粘着剤層１２を形成し、切断線に囲まれた領域に粘着性無効化処理１７を施して情報表示シートの切断線で囲まれた領域以外の部分に粘着剤層１２を形成するようにしたが、粘着剤層１２の形成方法はこれに限られない。例えば、切断線に囲まれた領域に粘着剤を塗布することなく、残りの領域にのみ粘着剤を塗布し、粘着剤層１２を形成してもよい。
【００１９】
（３）上記実施形態では、情報表示シートを紙により作製した例について示したが、情報表示シートの材質は、これに限られない。適度な強度を備えたフィルム状に成形できるものであれば、ポリエチレンやポリプロピレン等の合成樹脂、アルミニウムのような金属材料などあらゆるものを用いることができる。
（４）上記実施形態では、情報表示シートの切断線に囲まれた領域を櫛状に形成したが、これに限らず、例えば図５および図６に示すように様々な形状としてもよい。
【図面の簡単な説明】
【図１】本発明に係る個人情報保護シートの使用工程を示す部分拡大断面図
【図２】同じく個人情報保護シートの宛名タックシールの平面図
【図３】同じく印刷用紙の一部を剥ぎ取る際の宛名タックシールの上面図
【図４】同じく印刷用紙の一部領域を剥ぎ取った後の宛名タックシールの平面図
【図５】他の実施形態の宛名タックシールの平面図
【図６】他の実施形態の宛名タックシールの平面図
【図７】従来の宛名タックシールの平面図
【符号の説明】
１０…個人情報保護シート
１０ａ…宛名タックシール（情報表示シート）
１１…印刷用紙
１２…粘着剤層
１３…剥離シート
１４…切れ目
１５…マイクロミシン目（切断線）
１７…粘着性無効化処理
Ｅ…封書
【図１】
2004117787.tif 000003
【図２】
2004117787.tif 000004
【図３】
2004117787.tif 000005
【図４】
2004117787.tif 000006
【図５】
2004117787.tif 000007
【図６】
2004117787.tif 000008
【図７】
2004117787.tif 000009